(57)【要約】      （修正有）【課題】保護チューブの厚みが異なる場合でも間隔を調整することなくチューブ心線の側方から光を入出力できる光ファイバ側方入出力装置及びその設計方法を提供することを目的とする。【解決手段】本発明に係る光ファイバ側方入出力装置３０１は、凸部を有する第２治具１２の頂点部２３の中心角の角度を適正に設定し、その角度における間隔Ｓと側方入出力時の挿入損失の関係から損失挿入が保護チューブの厚みが変わっても所定の規定値以下となる構造とし、間隔Ｓの調整を不要とした。【選択図】図２
2020027177.tif 000002
【特許請求の範囲】
【請求項１】
光ファイバ心線が保護チューブで覆われ、前記保護チューブと前記光ファイバ心線との間に空隙が存在する構造のチューブ付き光ファイバに対して長手方向に湾曲する凹部、及び曲げが与えられた前記チューブ付き光ファイバに対して光を入射し、前記チューブ付き光ファイバから漏洩する光を受光する光入出力手段を有する第１治具と、
前記チューブ付き光ファイバに対して長手方向に湾曲し、前記第１治具の凹部との間で前記チューブ付き光ファイバを挟み込む凸部を有する第２治具と、
前記第１治具の凹部と前記第２治具の凸部との間隔Ｓ（Ｓ＞０）が小さくなるように前記第１治具の凹部と前記第２治具の凸部とが近づく方向に押圧力を印加し、前記チューブ付き光ファイバに曲げを形成する押圧部と、
を備え、
前記第２治具の前記凸部は、曲率半径ｒ及び中心角φ（１６５°≦φ＜１８０°）の円弧であることを特徴とする光ファイバ側方入出力装置。
【請求項２】
前記第２治具の前記凸部の曲率半径ｒは、２、８ｍｍ以下であり、
前記第１治具の前記凹部は、曲率半径Ｒ（２ｍｍ≦Ｒ≦３ｍｍ）及び中心角θ（１６０°≦φ≦１７０°）の円弧である
ことを特徴とする請求項１に記載の光ファイバ側方入出力装置。
【請求項３】
前記間隔Ｓは、０．２ｍｍ以上、０．３ｍｍ以下であることを特徴とする請求項１又は２に記載の光ファイバ側方入出力装置。
【請求項４】
光ファイバ心線が保護チューブで覆われ、前記保護チューブと前記光ファイバ心線との間に空隙が存在する構造のチューブ付き光ファイバに対して長手方向に湾曲する凹部を有する第１治具と、前記チューブ付き光ファイバに対して長手方向に湾曲し、前記第１治具の凹部との間で前記チューブ付き光ファイバを挟み込む凸部を有する第２治具とで、前記チューブ付き光ファイバを挟み込み、前記第１治具の凹部と前記第２治具の凸部との間隔Ｓ（Ｓ＞０）が小さくなるように前記第１治具の凹部と前記第２治具の凸部とが近づく方向に押圧力を印加して曲げを与え、
前記第１治具が有する光入出力手段で、曲げが与えられた前記チューブ付き光ファイバに対して光を入射し、前記チューブ付き光ファイバから漏洩する光を受光する光ファイバ側方入出力装置の設計方法であって、
前記チューブ付き光ファイバのうち、前記保護チューブの厚みが最も小さい前記チューブ付き光ファイバに対して、前記光ファイバ側方入出力装置を設置したときの、前記第２治具の前記凸部の中心角φについて第１挿入損失と間隔Ｓとの第１依存性を測定する第１工程と、
前記第１工程で測定した第１依存性から、前記第１挿入損失が最大となる間隔Ｓである間隔Ｓ１を求める第２工程と、
前記チューブ付き光ファイバのうち、前記保護チューブの厚みが最も大きい前記チューブ付き光ファイバに対して、前記光ファイバ側方入出力装置を設置したときの、第２挿入損失と間隔Ｓとの第２依存性を測定する第３工程と、
前記第３工程で測定した第２依存性から、前記第２挿入損失が規定の損失以下且つ間隔Ｓ１以下となる間隔Ｓである間隔Ｓ２を求める第４工程と、
前記第１治具の凹部と前記第２治具の凸部との間隔を間隔Ｓ２に設定する第５工程と、
を行うことを特徴とする設計方法。
【請求項５】
前記チューブ付き光ファイバのうち、前記保護チューブの厚みが最も小さい前記チューブ付き光ファイバから漏洩する光を前記第１治具が備える光入出力部が受光する出力効率が規定出力効率未満の場合、間隔Ｓ２以下の範囲から、当該出力効率が規定出力効率以上となる間隔Ｓである間隔Ｓ３を求める第６工程と、
前記第１治具の凹部と前記第２治具の凸部との間隔を間隔Ｓ３に設定する第７工程と、
を行うことを特徴とする請求項４に記載の設計方法。
【請求項６】
前記チューブ付き光ファイバのうち、前記保護チューブの厚みが最も小さい前記チューブ付き光ファイバに対して、前記第１治具が備える光入出力部を入出力効率が最大となる位置へ調心することを特徴とする請求項４又は５に記載の設計方法。
【発明の詳細な説明】
【技術分野】
【０００１】
本開示は、曲げた光ファイバ心線の側方から光を入出力する光ファイバ側方入出力装置およびその装置の設計方法に関する。
【背景技術】
【０００２】
図１は、光ファイバ心線１が保護チューブ２で覆われたチューブ付光ファイバ心線（以下、チューブ心線）１００の構造を説明する図である。チューブ心線１００は、光ファイバ心線１の被覆と保護チューブ２との間に空隙を有する。図１に示すようなチューブ心線１００に対して、光ファイバを曲げ、曲げ部から光を入出力する光ファイバ側方入出力装置が検討されている（例えば、非特許文献１を参照。）。
【０００３】
図２は、光ファイバ側方入出力装置３０１の構成を説明する図である。光ファイバ側方入出力装置３０１は、凹型の第１冶具１１と凸型の第２冶具１２とでチューブ心線１００を挟み込み曲げを形成し、曲げ部から光を入出力する。非特許文献１では、凹型の第１冶具１１と凸型の第２冶具１２との間隔Ｓを適切な値に設定することで、通信に影響を与えることなく通信をモニタすることができることが示されている。
【０００４】
光ファイバ側方入出力装置３０１の従来の設計方法を説明する。光ファイバ側方入出力装置３０１は、従来、第１冶具１１の曲げ頂点部と第２冶具１２の曲げ頂点部との間隔Ｓを
Ｓ≒ｄ＋２ｔ        （ｄは光ファイバ心線１の直径、ｔは保護チューブ２の厚み）
としていた。つまり、光ファイバ側方入出力装置３０１は、保護チューブ２をつぶして光ファイバ心線１と保護チューブ２との間の空隙を除去し、曲げた光ファイバ心線１からの漏洩光を受光していた。
【先行技術文献】
【非特許文献】
【０００５】
【非特許文献１】植松他，“ルースチューブで覆われた光ファイバ心線からの漏洩光取得装置の設計，”  信学技報，ＯＦＴ２０１７−５９，２０１８年１月．
【発明の概要】
【発明が解決しようとする課題】
【０００６】
非特許文献１の図６、７、９に、保護チューブの厚みの変動により挿入損失および出力効率も変動することが示されている。光アクセス網における所外８分岐スプリッタモジュールには、保護チューブの厚みが大きく異なる数種類のチューブ心線が用いられている。図３は、光ファイバ側方入出力装置３０１をセットした時の挿入損失と間隔Ｓとの依存性を説明する図である。図３のようにチューブ心線１００を挟み込んだときの挿入損失が規定値以下（たとえば２ｄＢ以下）となるように間隔Ｓを、保護チューブの厚みに応じてチューブ心線１００毎に設定する必要がある。非特許文献１のような設計方法では、保護チューブの厚みによって間隔Ｓを調整するため、保護チューブの厚みが大きく異なる場合には、保護チューブの厚みに応じて個別に光ファイバ側方入出力装置を調整する必要があり、作業性の向上が課題であった。
【０００７】
そこで本発明は、上記課題を解決すべく、保護チューブの厚みが異なる場合でも間隔Ｓを調整することなくチューブ心線の側方から光を入出力できる光ファイバ側方入出力装置及びその設計方法を提供することを目的とする。
【課題を解決するための手段】
【０００８】
上記目的を達成するために、本発明に係る光ファイバ側方入出力装置は、凸部を有する第１治具の頂点部の中心角の角度を適正に設定し、その角度における間隔Ｓと側方入出力時の挿入損失の関係から損失挿入が保護チューブの厚みが変わっても所定の規定値以下となる構造とし、間隔Ｓの調整を不要とした。
【０００９】
具体的には、本発明に係る光ファイバ側方入出力装置は、
光ファイバ心線が保護チューブで覆われ、前記保護チューブと前記光ファイバ心線との間に空隙が存在する構造のチューブ付き光ファイバに対して長手方向に湾曲する凹部、及び曲げが与えられた前記チューブ付き光ファイバに対して光を入射し、前記チューブ付き光ファイバから漏洩する光を受光する光入出力手段を有する第１治具と、
前記チューブ付き光ファイバに対して長手方向に湾曲し、前記第１治具の凹部との間で前記チューブ付き光ファイバを挟み込む凸部を有する第２治具と、
前記第１治具の凹部と前記第２治具の凸部との間隔Ｓ（Ｓ＞０）が小さくなるように前記第１治具の凹部と前記第２治具の凸部とが近づく方向に押圧力を印加し、前記チューブ付き光ファイバに曲げを形成する押圧部と、
を備え、
前記第２治具の前記凸部は、曲率半径ｒ及び中心角φ（１６５°≦φ＜１８０°）の円弧であることを特徴とする。
【００１０】
第２治具の凸部を構成する円弧の中心角φを大きくすることで挿入損失の値及び間隔Ｓに対する挿入損失の変動が小さくなる。特にφを１６５°以上とすることで全ての間隔Ｓで挿入損失の最大値が規定損失より小さくなる。つまり、保護チューブの厚みが変わっても挿入損失が規定値より大きくならず、間隔Ｓを調整する必要が無くなる。従って、本発明は、保護チューブの厚みが異なる場合でも間隔Ｓを調整することなくチューブ心線の側方から光を入出力できる光ファイバ側方入出力装置を提供することができる。
【００１１】
また、その他の構造パラメータは次の通りに設定することが好ましい。
前記第２治具の前記凸部の曲率半径ｒは、２、８ｍｍ以下であり、
前記第１治具の前記凹部は、曲率半径Ｒ（２ｍｍ≦Ｒ≦３ｍｍ）及び中心角θ（１６０°≦φ≦１７０°）の円弧である
ことを特徴とする。
さらに、  前記間隔Ｓは、０．２ｍｍ以上、０．３ｍｍ以下であることを特徴とする。
【００１２】
また、間隔Ｓについては、次のように光ファイバ側方入出力装置に設定する。
光ファイバ心線が保護チューブで覆われ、前記保護チューブと前記光ファイバ心線との間に空隙が存在する構造のチューブ付き光ファイバに対して長手方向に湾曲する凹部を有する第１治具と、前記チューブ付き光ファイバに対して長手方向に湾曲し、前記第１治具の凹部との間で前記チューブ付き光ファイバを挟み込む凸部を有する第２治具とで、前記チューブ付き光ファイバを挟み込み、前記第１治具の凹部と前記第２治具の凸部との間隔Ｓ（Ｓ＞０）が小さくなるように前記第１治具の凹部と前記第２治具の凸部とが近づく方向に押圧力を印加して曲げを与え、
前記第１治具が有する光入出力手段で、曲げが与えられた前記チューブ付き光ファイバに対して光を入射し、前記チューブ付き光ファイバから漏洩する光を受光する光ファイバ側方入出力装置の設計方法であって、
前記チューブ付き光ファイバのうち、前記保護チューブの厚みが最も小さい前記チューブ付き光ファイバに対して、前記光ファイバ側方入出力装置を設置したときの、前記第２治具の前記凸部の中心角φについて第１挿入損失と間隔Ｓとの第１依存性を測定する第１工程と、
前記第１工程で測定した第１依存性から、前記第１挿入損失が最大となる間隔Ｓである間隔Ｓ１を求める第２工程と、
前記チューブ付き光ファイバのうち、前記保護チューブの厚みが最も大きい前記チューブ付き光ファイバに対して、前記光ファイバ側方入出力装置を設置したときの、第２挿入損失と間隔Ｓとの第２依存性を測定する第３工程と、
前記第３工程で測定した第２依存性から、前記第２挿入損失が前記挿入損失の規定損失以下且つ間隔Ｓ１以下となる間隔Ｓである間隔Ｓ２を求める第４工程と、
前記第１治具の凹部と前記第２治具の凸部との間隔を間隔Ｓ２に設定する第５工程と、
を行うことを特徴とする。
【００１３】
前記チューブ付き光ファイバのうち、前記保護チューブの厚みが最も小さい前記チューブ付き光ファイバから漏洩する光を前記光入出力部が受光する出力効率が規定出力効率未満の場合、間隔Ｓ２以下の範囲から、当該出力効率が規定出力効率以上となる間隔Ｓである間隔Ｓ３を求める第６工程と、
前記第１治具の凹部と前記第２治具の凸部との間隔を間隔Ｓ３に設定する第７工程と、
を行うことを特徴とする。
【００１４】
前記チューブ付き光ファイバのうち、前記保護チューブの厚みが最も小さい前記チューブ付き光ファイバに対して、前記光入出力部を入出力効率が最大となる位置へ調心することを特徴とする。
【発明の効果】
【００１５】
本発明は、保護チューブの厚みが異なる場合でも間隔Ｓを調整することなくチューブ心線の側方から光を入出力できる光ファイバ側方入出力装置及びその設計方法を提供することができる。
【図面の簡単な説明】
【００１６】
【図１】チューブ付光ファイバ心線を説明する断面図である。
【図２】本発明に係る光ファイバ側方入出力装置の構成を説明する図である。
【図３】光ファイバ側方入出力装置をセットした時の挿入損失と間隔Ｓとの依存性を説明する図である。
【図４】本発明に係る光ファイバ側方入出力装置の第１治具を説明する図である。
【図５】本発明に係る光ファイバ側方入出力装置の第２治具を説明する図である。
【図６】本発明に係る光ファイバ側方入出力装置の第２冶具のφ毎の挿入損失と間隔Ｓとの依存性を説明する図である。
【図７】本発明に係る光ファイバ側方入出力装置のφを１６５°としたときの挿入損失（図７（Ａ））および出力効率（図７（Ｂ））と間隔Ｓとの依存性を説明する図である。
【図８】本発明に係る光ファイバ側方入出力装置のφを１６５°としたときの挿入損失（図８（Ａ））および出力効率（図８（Ｂ））と凹型冶具の曲率半径であるＲとの依存性を説明する図である。
【図９】本発明に係る光ファイバ側方入出力装置のφを１６５°としたときの挿入損失（図９（Ａ））および出力効率（図９（Ｂ））と凹型冶具の曲げ角度であるθとの依存性を説明する図である。
【図１０】本発明に係る設計方法を説明するフローチャートである。
【図１１】本発明に係る光ファイバ側方入出力装置の第１治具の凹部と第２治具の凸部との間隔ＳのうちＳ１を取得する手順を説明する図である。
【図１２】本発明に係る光ファイバ側方入出力装置の第１治具の凹部と第２治具の凸部との間隔ＳのうちＳ２を取得する手順を説明する図である。
【発明を実施するための形態】
【００１７】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００１８】
図２を用いて本実施形態の光ファイバ側方入出力装置を説明する。また、図４及び図５は、それぞれ第１治具１１及び第２治具１２の構造を説明する図である。光ファイバ側方入出力装置３０１は、
光ファイバ心線１が保護チューブ２で覆われ、保護チューブ２と光ファイバ心線１との間に空隙が存在する構造のチューブ付き光ファイバ１００に対して長手方向に湾曲する凹部２２、及び曲げが与えられたチューブ付き光ファイバ１００に対して光を入射し、チューブ付き光ファイバ１００から漏洩する光を受光する光入出力手段１４を有する第１治具１１と、
チューブ付き光ファイバ１００に対して長手方向に湾曲し、第１治具１１の凹部２２との間でチューブ付き光ファイバ１００を挟み込む凸部２３を有する第２治具１２と、
第１治具１１の凹部２２と第２治具１２の凸部２３との間隔Ｓ（Ｓ＞０）が小さくなるように第１治具１１の凹部２２と第２治具１２の凸部２３とが近づく方向に押圧力を印加し、チューブ付き光ファイバ１００に曲げを形成する押圧部１３と、
を備え、
第２治具１２の凸部２３は、曲率半径ｒ及び中心角φ（１６５°≦φ＜１８０°）の円弧である（図５参照）ことを特徴とする。
【００１９】
また、本実施形態の光ファイバ側方入出力装置を設計する方法も説明する。本設計方法は、光ファイバ心線が保護チューブで覆われ、前記保護チューブと前記光ファイバ心線との間に空隙が存在する構造のチューブ付き光ファイバに対して長手方向に湾曲する凹部を有する第１治具と、前記チューブ付き光ファイバに対して長手方向に湾曲し、前記第１治具の凹部との間で前記チューブ付き光ファイバを挟み込む凸部を有する第２治具とで、前記チューブ付き光ファイバを挟み込み、前記第１治具の凹部と前記第２治具の凸部との間隔Ｓ（Ｓ＞０）が小さくなるように前記第１治具の凹部と前記第２治具の凸部とが近づく方向に押圧力を印加して曲げを与え、
前記第１治具が有する光入出力手段で、曲げが与えられた前記チューブ付き光ファイバに対して光を入射し、前記チューブ付き光ファイバから漏洩する光を受光する光ファイバ側方入出力装置の設計方法であって、
前記チューブ付き光ファイバのうち、前記保護チューブの厚みが最も小さい前記チューブ付き光ファイバに対して、前記光ファイバ側方入出力装置を設置したときの、前記第２治具の前記凸部の中心角φについて第１挿入損失と間隔Ｓとの第１依存性を測定する第１工程と、
前記第１工程で測定した第１依存性から、前記第１挿入損失が最大となる間隔Ｓである間隔Ｓ１を求める第２工程と、
前記チューブ付き光ファイバのうち、前記保護チューブの厚みが最も大きい前記チューブ付き光ファイバに対して、前記光ファイバ側方入出力装置を設置したときの、第２挿入損失と間隔Ｓとの第２依存性を測定する第３工程と、
前記第３工程で測定した第２依存性から、前記第２挿入損失が前記挿入損失の規定損失以下且つ間隔Ｓ１以下となる間隔Ｓである間隔Ｓ２を求める第４工程と、
前記第１治具の凹部と前記第２治具の凸部との間隔を間隔Ｓ２に設定する第５工程と、
を行うことを特徴とする。
【００２０】
図６は、前記第１工程で取得する、第２冶具１２のφ毎の挿入損失と間隔Ｓとの依存性を説明する図である。φは１５０〜１７０°である。第１冶具１１のＲを２．１２５ｍｍ、θを１７０°とし、第２冶具１２のｒを１ｍｍ、測定波長を１５５０ｎｍとしている。チューブ心線１００はチューブ厚みが最大のものを用い、チューブ心線内の光ファイバ心線１としてＲ３０ファイバを用いた。Ｒ３０ファイバは、半径３０ｍｍまで曲げることができる（半径３０ｍｍでの巻き数が１００のときに曲げ損失が０．１ｄＢ以下（波長１５５０ｎｍ）であること）光ファイバのことである。図６より、間隔Ｓを小さくしていくと挿入損失はある間隔で最大となり、それより小さい間隔Ｓでは挿入損失は小さくなっていく。そのためφを適切に設定することで挿入損失の最大値を制御することができる。本実施形態では、φを１６５°以上とすることで、挿入損失を規定値２ｄＢ以下とすることができる。
【００２１】
図７は、φを１６５°としたときの挿入損失（図７（Ａ））および出力効率（図７（Ｂ））と間隔Ｓとの依存性を説明する図である。測定波長は、挿入損失が１５５０ｎｍ、出力効率が１３１０ｎｍである。チューブ心線１００は厚みの最大と最小のものを用い、チューブ心線１００内の光ファイバ心線１にはＲ３０ファイバおよびＲ１５ファイバ（半径１５ｍｍでの巻き数が１０のときに曲げ損失が０．０３ｄＢ以下（波長１５５０ｎｍ）であること）を用いた。
【００２２】
なお、挿入損失が規定値を満たしていても、チューブ心線１００から漏洩する光が少なければ、光ファイバ側方入出力装置３０１を用いて通信をモニタすることが難しくなる。このため、出力効率が規定値以上となるように間隔Ｓを設定する必要がある。具体的には、前記設計方法は、
前記チューブ付き光ファイバのうち、前記保護チューブの厚みが最も小さい前記チューブ付き光ファイバから漏洩する光を前記光入出力部が受光する出力効率が規定出力効率未満の場合、間隔Ｓ２以下の範囲から、当該出力効率が規定出力効率以上となる間隔Ｓである間隔Ｓ３を求める第６工程と、
前記第１治具の凹部と前記第２治具の凸部との間隔を間隔Ｓ３に設定する第７工程と、
を行う。
【００２３】
例えば、図７（Ｂ）のようにチューブ厚が小のＲ１５ファイバの場合、間隔Ｓによっては出力効率が規定値を下回ることがある。このため、挿入損失が規定値を満たし、且つ力効率が規定値を上回る区間Ａに間隔Ｓを設定する。このような間隔Ｓに設定することで、４種類すべてのチューブ心線に対して挿入損失を規定値２ｄＢ以下、かつ出力効率を規定値−３３ｄＢ以上にすることができる。本測定では、間隔Ｓは０．２〜０．３ｍｍ程度で条件を満たしていた。これは非特許文献１に示される従来の間隔Ｓ（０．３２５〜０．３３ｍｍ）より小さい値である。
【００２４】
以上のように、光ファイバ側方入出力装置３０１の間隔Ｓを所定値（０．２〜０．３ｍｍ）に設定することでチューブ厚みの異なるチューブ心線全てに対して挿入損失も出力効率も規定値を満たすことができた。つまり、φを１６５°以上とし、間隔Ｓを０．２〜０．３ｍｍに設定することで、作業者がチューブ心線種別ごとに間隔Ｓを切り替える必要がなくなる。
【００２５】
なお、前記設計方法を行う際には、前記チューブ付き光ファイバのうち、前記保護チューブの厚みが最も小さいチューブ付き光ファイバ１００に対して、光入出力部１４を入出力効率が最大となる位置へ調心することが望ましい。
【００２６】
（実施例１）
図８は、φを１６５°としたときの挿入損失（図８（Ａ））および出力効率（図８（Ｂ））と凹型冶具の曲率半径であるＲとの依存性を説明する図である。測定波長は、挿入損失が１５５０ｎｍ、出力効率が１３１０ｎｍである。チューブ心線は厚みの最大と最小のものを用い、チューブ心線内の光ファイバ心線にはＲ３０ファイバおよびＲ１５ファイバを用いた。図８より、Ｒが２〜３ｍｍにおいて挿入損失および出力効率は一定であり、挿入損失が規定値２ｄＢ以下であり、かつ出力効率が規定値−３３ｄＢ以上であることがわかる。したがって、Ｒは２〜３ｍｍに設定できる。
【００２７】
また、凸型冶具の曲率半径であるｒについては、チューブ心線を十分に挟み込むため、凹型冶具の曲率半径Ｒから間隔Ｓを減じた曲率半径であることが必要である。つまり、
ｒ≦Ｒ−Ｓ
を満たす必要がある。
【００２８】
前述の通り、Ｒは２〜３ｍｍ、Ｓは０．２〜０．３ｍｍであるため、ｒは
３−０．２＝２．８ｍｍ以下、
好ましくは
２−０．２＝１．８ｍｍ以下
とする。なお、本実施例ではｒ＝１．０ｍｍを使用している。
【００２９】
（実施例２）
図９は、φを１６５°としたときの挿入損失（図９（Ａ））および出力効率（図９（Ｂ））と凹型冶具の曲げ角度であるθとの依存性を説明する図である。測定波長は、挿入損失が１５５０ｎｍ、出力効率が１３１０ｎｍである。チューブ心線は厚みの最大と最小のものを用い、チューブ心線内の光ファイバ心線にはＲ３０ファイバおよびＲ１５ファイバを用いた。図９より、θが１６０〜１７０°において挿入損失が規定値２ｄＢ以下であり、かつ出力効率が規定値−３３ｄＢ以上であることがわかる。したがって、θは１６０〜１７０°に設定できる。
【００３０】
（実施例３）
図１０は、本実施形態の光ファイバ側方入出力装置３０１の設計方法を説明する図である。
モニタ対象のチューブ付き光ファイバのうち、前記保護チューブの厚みが最も小さい前記チューブ付き光ファイバに対して、前記光ファイバ側方入出力装置を設置したときの、前記第２治具の前記凸部の中心角φについて第１挿入損失と間隔Ｓとの第１依存性を測定する第１工程と、
前記第１工程で測定した第１依存性から、前記第１挿入損失が最大となる間隔Ｓである間隔Ｓ１を求める第２工程（図１１参照）と、
前記チューブ付き光ファイバのうち、前記保護チューブの厚みが最も大きい前記チューブ付き光ファイバに対して、前記光ファイバ側方入出力装置を設置したときの、第２挿入損失と間隔Ｓとの第２依存性を測定する第３工程と、
前記第３工程で測定した第２依存性から、前記第２挿入損失が前記挿入損失の規定損失以下且つ間隔Ｓ１以下となる間隔Ｓである間隔Ｓ２を求める第４工程（図１２参照）と、
前記第１治具の凹部と前記第２治具の凸部との間隔を間隔Ｓ２に設定する第５工程と、
を行うことを特徴とする。
【００３１】
なお、第４工程終了後、前記チューブ付き光ファイバのうち、前記保護チューブの厚みが最も小さい前記チューブ付き光ファイバから漏洩する光を前記光入出力部が受光する出力効率が規定出力効率未満の場合、第５工程を行わず、間隔Ｓ２以下の範囲から、当該出力効率が規定出力効率以上となる間隔Ｓである間隔Ｓ３を求める第６工程と、
前記第１治具の凹部と前記第２治具の凸部との間隔を間隔Ｓ３に設定する第７工程と、
を行う。
【００３２】
（発明の効果）
本発明では、チューブの厚みにかかわらず間隔Ｓを一意の値とするため、第２冶具のφを適切に設定し、従来チューブ厚みの小さいものに対して設定していた間隔Ｓよりさらに小さいＳとした。
【符号の説明】
【００３３】
１：光ファイバ心線
２：保護チューブ
１１：第１治具
１２：第２治具
１３：押圧部
１４：光入出力部
５０：プローブ光ファイバ
５１：保持部
２２：凹部
２３：凸部
１００：チューブ付光ファイバ心線、チューブ心線
３０１：光ファイバ側方入出力装置
【図１】
2020027177.tif 000003
【図２】
2020027177.tif 000004
【図３】
2020027177.tif 000005
【図４】
2020027177.tif 000006
【図５】
2020027177.tif 000007
【図６】
2020027177.tif 000008
【図７】
2020027177.tif 000009
【図８】
2020027177.tif 000010
【図９】
2020027177.tif 000011
【図１０】
2020027177.tif 000012
【図１１】
2020027177.tif 000013
【図１２】
2020027177.tif 000014